(57)【要約】【課題】本発明は画像信号の非同期処理装置に関し、フレームメモリへの画像信号の書き込みと読み出しの重なりを防止すると共に、画像が乱れることのない画像信号の非同期処理装置を提供することを目的としている。【解決手段】画像信号の書き込みと読み出しを行なう複数個のフレームメモリ１と、画像入力信号と画像出力信号の垂直同期信号の周波数差を検出する垂直同期周波数差検出手段１２と、基準発振器１０の出力を受けて画像同期信号を発生する出力同期信号発生手段１１と、を具備し、垂直同期周波数差検出回路１２の出力と、出力同期信号発生回路１１の出力とを受けて、前記フレームメモリ１の書き込みと読み出しを制御するフレームメモリ制御手段１５を設け、入力垂直同期周波数が出力垂直同期周波数の許容値内であれば、前記出力同期信号発生手段１１にリセットをかけ同期化を行なうように構成する。【選択図】　　　図１
2004069882.tif 000002
【特許請求の範囲】
【請求項１】
垂直同期周波数の異なる撮像系からの画像信号を垂直同期周波数の異なる所定の画像信号に変換する装置において、
画像信号の書き込みと読み出しを行なう複数個のフレームメモリと、
画像入力信号と画像出力信号の垂直同期信号の周波数差を検出する垂直同期周波数差検出手段と、
基準発振器の出力を受けて画像同期信号を発生する出力同期信号発生手段と、を具備し、
垂直同期周波数差検出手段の出力と、出力同期信号発生手段の出力とを受けて、前記フレームメモリの書き込みと読み出しを制御するフレームメモリ制御手段を設け、
入力垂直同期周波数が出力垂直同期周波数の許容値内であれば、前記出力同期信号発生手段にリセットをかけ同期化を行なうことを特徴とする画像信号の非同期処理装置。
【請求項２】
前記フレームメモリへの画像信号の書き込みと読み出しの重なりを検出する手段を設け、
入力垂直同期周波数が出力垂直同期周波数の許容値を超えた場合、重なり発生時に、重なり方向によりフレーム単位で画像信号の書き込み禁止又は同一フレーム読み出しを行なうことを特徴とする請求項１記載の画像信号の非同期処理装置。
【請求項３】
前記各フレームメモリの画像信号の平均値を算出する手段を設け、
重なりを検出したフレームにおいて、重なり発生直前の２フレームの画像信号の平均値を算出し、次フレームで重なり発生直前フレームの画像信号を読み出すことを特徴とする請求項１記載の画像信号の非同期処理装置。
【発明の詳細な説明】
【０００１】
【発明の属する技術分野】
本発明は画像信号の非同期処理装置に関する。
画像信号等の画像信号は、フレームメモリに書き込まれ、フレームメモリに書き込まれた画像信号は、フレームメモリから読み出されて、例えば表示装置に表示される。この場合において、画像信号の書き込み系と画像信号の読み出し系は同期がとれていない（非同期）ので、フレームメモリへの画像信号の書き込みと読み出しを誤り無く行なうことが必要である。
【０００２】
【従来の技術】
図１０は従来装置の構成例を示す図である。ここでは、画像信号として映像信号を用いた場合を示している。図において、１は映像信号の書き込みと読み出しを行なうフレームメモリであり、図中フレームメモリ１〜フレームメモリ３までの３個のフレームメモリが存在する場合を示している。該フレームメモリ１には、映像信号が入力され、該フレーム１から映像信号が出力される。
【０００３】
２は前記映像信号から抽出した映像同期信号と、水晶発振器４から作成し、出力同期信号発生回路３から出力される出力同期信号とを比較してフレームメモリを制御するための制御信号を発生するフレームメモリ制御信号発生回路である。
【０００４】
このように構成された装置において、フレームメモリ制御信号発生回路２は、映像同期信号と出力同期信号を受けて、フレームメモリ１〜フレームメモリ３の映像信号の書き込みと読み出しを制御する。
【０００５】
図１１はフレームメモリへの書き込みと読み出しのタイムチャートである。先ずフレームメモリ１〜フレームメモリ３に対して順番に映像信号がＷ１，Ｗ２，Ｗ３と書き込まれる。フレームメモリ１〜フレームメモリ３に書き込まれた映像信号は、読み出し側の制御により、図のＲ１〜Ｒ３のように読み出される。同一のフレームに対しては、書き込み動作と読み出し動作が重ならないようにする必要がある。
【０００６】
図１０において、フレームメモリ１への映像信号の書き込みは入力垂直同期信号を基準に入力側クロックでフレームメモリ制御信号発生回路２でメモリ制御信号を生成して行ない、一方、フレームメモリ１からの画像信号の読み出しは、出力側クロックで所定の垂直同期周波数のメモリ制御信号をフレームメモリ制御信号発生回路２を制御して行なう。
【０００７】
そのため、映像信号の書き込みと読み出しが非同期となり、フレームメモリ１への書き込み動作と読み出し動作が重なるタイミングでは、同一フレーム上で新旧フレームの画像信号が混在することになる。図１２は書き込み信号と読み出し信号の重なりの説明図である。“Ｈ”アクチブとして、書き込み信号と読み出し信号が一部重なり、重なり領域ができている。
【０００８】
【発明が解決しようとする課題】
上述したように、垂直同期周波数の異なる撮像系からの画像信号を垂直同期周波数の異なる所定の画像信号に変換する装置において、フレームメモリへの画像信号の書き込みと読み出しの重なりが発生した場合、同一フレーム内で新旧フレーム（１フレーム前の画像と現在のフレームの画像）の画像が混在し、画像が乱れるという問題があった。
【０００９】
本発明はこのような課題に鑑みてなされものであって、フレームメモリへの画像信号の書き込みと読み出しの重なりを防止すると共に、画像が乱れることのない画像信号の非同期処理装置を提供することを目的としている。
【００１０】
【課題を解決するための手段】
（１）図１は本発明の原理ブロック図である。図１０と同一のものは、同一の符号を付して示す。図において、１はフレームメモリで、図ではフレームメモリ１〜フレームメモリ３までの３個の場合を示している。これらフレームメモリには、画像信号が入力され、また画像信号が出力される。図において、１０は正確な一定の周波数パルスを出力する水晶発振器、１１は該水晶発振器１０の出力を受けて出力同期信号を発生する出力同期信号発生手段としての出力同期信号発生回路である。
【００１１】
１２は映像同期信号を入力して予め決められている基準の周波数値と比較して垂直同期周波数差を検出する垂直同期周波数差検出手段としての垂直同期周波数差検出回路、１３はその一方の入力に映像同期信号を、他方の入力に垂直同期周波数差検出回路の出力を受けてリセット信号を発生するアンドゲートである。該リセット信号は、前記出力同期信号発生回路１１に与えられる。
【００１２】
１４は映像同期信号と、垂直同期周波数差検出回路１２の出力と、出力同期信号発生回路１１の出力である映像同期出力を受けて書き込み信号と読み出し信号の重なりを検出する重なり検出回路である。１５は該重なり検出回路１４の出力と、映像同期信号と、出力同期信号発生回路１１の出力である映像同期出力を受けてフレームメモリ１の書き込みと読み出しの制御信号を発生するフレームメモリ制御信号発生回路である。
【００１３】
このような構成によれば、垂直同期周波数差検出回路１２で検出した差分が出力垂直同期周波数の許容範囲内の場合、出力同期信号発生回路１１にリセットをかけて同期化することにより、フレームメモリへの画像信号の書き込みと読み出しの重なりを防止することができる。
（２）請求項２記載の発明は、前記フレームメモリへの画像信号の書き込みと読み出しの重なりを検出する手段を設け、入力垂直同期周波数が出力垂直同期周波数の許容値を超えた場合、重なり発生時に、重なり方向によりフレーム単位で画像信号の書き込み禁止又は同一フレーム読み出しを行なうことを特徴とする。
【００１４】
ここで、重なり方向とは、出力の同期周波数に対して入力側同期周波数が早いか遅いかの識別をいう。
このような構成によれば、重なり検出回路１４により画像信号の書き込みと読み出しの重なりを検出した場合、重なり方向によりフレーム単位で画像信号の書き込み禁止及び同一フレーム読み出しを行なうことで、入力垂直同期周波数を等価的に出力垂直同期周波数に調整でき、画像の乱れを防止することができる。
（３）請求項３記載の発明は、前記各フレームメモリの画像信号の平均値を算出する手段を設け、重なりを検出したフレームにおいて、重なり発生直前の２フレームの画像信号の平均値を算出し、次フレームで重なり発生直前フレームの画像信号を読み出すことを特徴とする。
【００１５】
このような構成によれば、重なり検出回路１４により重なりを検出した場合、重なり発生前の２フレームの平均値を算出し、次フレームでは重なり発生直前の画像信号を読み出すことにより、重なり発生時に生じる画像の不連続を防止して画像の乱れを防止することができる。
【００１６】
【発明の実施の形態】
以下、図面を参照して本発明の実施の形態例を詳細に説明する。
先ず、図１に示す原理ブロック図の詳細について説明する。フレームメモリへの画像信号の書き込み及び読み出しの制御は、垂直同期周波数差検出回路１２で入力垂直同期信号と出力垂直同期信号の周波数差を検出した信号を基に行なわれる。ここでは、基準となる出力垂直同期信号の周波数値が垂直同期周波数差検出回路１２のレジスタに予め書き込まれている。そこで、垂直同期周波数差検出回路１２は映像同期入力信号と前記基準値とを比較してその周波数差を出力する。
【００１７】
図２は垂直同期周波数差検出回路１２の一実施の形態例を示すブロック図である。図において、２０は出力側クロックを発生する出力側クロック発生回路である。該出力側クロック発生回路２０は発振器として水晶を用いているので、高精度のクロックを発生させることができる。２１は入力垂直同期信号を出力側クロック発生回路２０の出力クロックで同期をとる同期化回路である。
【００１８】
この同期化回路２１の出力は、続く２分周回路２２で２分周される。この結果、１フレーム期間が“Ｈ”レベル、１フレーム期間が“Ｌ”レベルのデューティ５０％のパルスが発生する。２３は、２分周回路２２の出力をイネーブル信号として受けて、出力側クロック発生回路２０の出力クロックをカウントする時間計測カウンタである。２４は時間計測カウンタ２３の出力と、出力側同期信号の基準周波数値を設定値として受けて、双方の周波数値の差分を出力するウィンドコンパレータである。該ウィンドコンパレータ２４からは、周波数差検出信号が出力される。このように構成された回路の動作を説明すれば、以下の通りである。
【００１９】
入力垂直同期信号を出力側クロック発生回路２０の出力で叩いて同期化回路２１で同期化する。同期化回路２で同期化された入力垂直同期信号は、続く２分周回路２２で１／２に分周される。この結果、フレームの１周期に相当する幅が“Ｈ”レベルのパルスが得られる。このパルスを続く時間計測カウンタ２３のイネーブル信号として用いる。この結果、時間計測カウンタ２３は、２分周回路２２の出力が“Ｈ”レベルの間、出力側クロック発生回路２０の出力をカウントする。このカウント値は、入力側垂直同期周波数のカウント値となり、ウィンドコンパレータ２４の一方の入力に入る。
【００２０】
一方、ウィンドコンパレータ２４の他方の入力には、予め決められた出力側垂直同期周波数の許容範囲に相当する値が設定値として設定されている。ウィンドコンパレータ２４は、これら２つの周波数値の差分を求めて入力垂直同期周波数が出力垂直同期周波数の許容範囲内であるかどうかを判定する。そして、ウィンドコンパレータ２４からは、周波数差検出信号が出力されることになる。この周波数差検出信号は、例えば許容範囲の場合に“Ｈ”レベル、許容差外の場合に“Ｌ”となるような信号を発生する。
【００２１】
アンドゲート１３は、ウィンドコンパレータ２４の判定結果と、入力垂直同期信号とのアンドをとり、出力同期信号発生回路１１のリセット入力に入力する。入力垂直同期周波数が出力垂直同期周波数の許容範囲内の場合、アンドゲート１３から出力同期信号発生回路１１にリセット信号が供給される。この結果、出力同期信号は、入力垂直同期信号で同期化される。
【００２２】
図３は映像同期入力と映像同期出力の関係を示す図である。（ａ）は映像同期入力、（ｂ）、（ｄ）は映像同期出力、（ｃ）はリセット信号である。映像同期入力信号と映像同期出力信号とが非同期のため、映像同期入力（ａ）と映像同期出力（ｂ）は図に示すように同期しない。そこで、映像同期入力信号に同期した（ｃ）に示すようなリセット信号を出力同期信号発生回路１１に与えると、出力同期信号は、リセット信号に同期するので、（ｄ）に示すように映像同期入力（ａ）と同期した映像同期出力が得られる。
【００２３】
入力垂直同期周波数が出力垂直同期周波数の許容範囲を超えた場合、重なり検出回路１４を設け、重なり検出及び重なり方向検出を行ない、入力垂直同期周波数と出力垂直同期周波数の大小関係により、以下に示すような処理を行なう。
【００２４】
以下、図４に示すタイムチャートを用いて、本発明の動作を説明する。
（Ａ）入力垂直同期周波数が出力垂直同期周波数よりも高い場合
図４において、（ａ）は出力フレーム、（ｂ）は入力フレーム、（ｃ）はフレームメモリ１、（ｄ）はフレームメモリ２、（ｅ）はフレームメモリ３の動作を示している。出力フレームはＯ１，Ｏ２，Ｏ３，…という具合に出力され、入力フレームはＩ１，Ｉ２，Ｉ３…という具合に入力される。それぞれフレームの単位を示している。
【００２５】
３個のフレームでは、図１１に示すようにシーケンシャルに書き込み及び読み出しが行なわれている。ここで、入力フレームがＩ２のタイミングでは、フレームメモリ１からの映像信号を読み出し中にフレームＩ２の映像信号が入力されてくるため、読み出しと書き込みが重なってしまう（重なり発生Ｑ１）。同一フレームメモリについて、読み出しと書き込みが発生すると、新旧の映像データが混在してしまう。
【００２６】
そこで、この場合には、重なり検出回路１４が重なりと重なりの方向を検出する。重なり検出回路１４の出力はフレームメモリ制御信号発生回路１５に与えられ、フレームメモリ制御信号発生回路１５は、フレームメモリ１の書き込みと読み出しを制御する。この場合には、フレームメモリ１からの読み出しを優先し、フレームＩ２の映像信号の書き込みを禁止する。
【００２７】
そして、入力フレームＩ３のタイミングでフレームＩ３の映像信号をフレームメモリ１に書き込み（Ｗ３）、入力フレームＩ２の映像入力信号を１フレーム取り込まないようにして入力と出力の周波数差を調整する。
【００２８】
なお、重なり発生Ｑ２でも重なりが発生しているが、この場合は、フレームメモリ２からの映像信号を読み出し中にフレームＩ７の映像信号が入力されてくる場合を示している。この場合にも、重なりＱ１の場合と同様、フレームＩ７は書き込みを禁止し、次のフレームＩ８の映像信号を書き込むようにする。
【００２９】
このように、重なり検出回路１４により映像信号の書き込みと読み出しの重なりを検出した場合、重なり方向によりフレーム単位で映像信号の書き込み禁止を行なうことで、入力垂直同期周波数を等価的に出力垂直同期周波数に調整でき、映像の乱れを防止することができる。
（Ｂ）入力垂直同期周波数が出力垂直同期周波数よりも低い場合
Ｑ３にて重なりが発生したものとする。この場合、フレームメモリ１では、映像データ書き込み中である。この映像データ書き込み中にデータ読み出しが重なってしまう。そこで、この場合には、重なり検出回路１４が重なりと重なりの方向を検出する。重なり検出回路１４の出力はフレームメモリ制御信号発生回路１５に与えられ、フレームメモリ制御信号発生回路１５は、フレームメモリ１の書き込みと読み出しを制御する。この場合には、フレームメモリ１での映像データの書き込みを優先し、このフレームでは、前フレームの映像信号が格納されているフレームメモリ３から映像信号を読み出し、１フレーム同一画像を挿入する。そして、これにより、入力垂直同期周波数と出力垂直同期周波数差を調整することができる。
【００３０】
なお、重なり発生Ｑ４でも重なりが発生しているが、この場合はフレームメモリ３で画像データ書き込み中である。この映像データ書き込み中にデータ読み出しが重なってしまう。そこで、この場合には、重なり検出回路１４が重なりと重なりの方向を検出する。重なり検出回路１４の出力はフレームメモリ制御信号発生回路１５に与えられ、フレームメモリ制御信号発生回路１５は、フレームメモリ１の書き込みと読み出しを制御する。この場合には、フレームメモリ３での映像データの書き込みを優先し、このフレームでは、前フレームの映像信号が格納されているフレームメモリ２から映像信号を読み出し、１フレーム同一画像を挿入する。
【００３１】
このように、重なり検出回路１４により画像信号の書き込みと読み出しの重なりを検出した場合、重なり方向によりフレーム単位で画像信号の同一フレームの読み出しを行なうことで、入力垂直同期周波数を等価的に出力垂直同期周波数に調整でき、画像の乱れを防止することができる。
【００３２】
図５は重なり検出回路１４の具体的な構成例を示す図である。図において、書込パルスと読出パルスは、垂直同期周波数差検出回路１２の出力と、映像同期信号入力と、出力同期信号発生回路１１の出力を受けて、重なり検出回路１４内で作成されるものであり、フレームメモリへの書き込みタイミング（書込）パルスと、読み出しタイミング（読出）パルスが作成される。該重なり検出回路１４は、重なり検出部１と重なり検出部２より構成されている。
【００３３】
重なり検出部１において、３０はその一方の入力に書込パルスを、他方の入力に読出パルスの反転信号を受けるアンドゲート、３１はその一方の入力に書込パルスの反転信号を、他方の入力に読出パルスを受けるアンドゲート３２はその一方の入力に書込パルスを他方の入力に読出パルスを受けるアンドゲートである。３３はそのＤ入力に電源Ｖｃｃの“Ｈ”レベルを、クロック入力ＣＬＫにアンドゲート３０の出力を、クリア入力ＣＬＲにアンドゲート３１の出力を受けるＤタイプのフリップフロップ（以下ＦＦ１と略す）である。３４はＦＦ１のＱ出力をその一方の入力に、アンドゲート３２の出力を他方の入力に受けるアンドゲートである。ここで、アンドゲート３２の出力をＡ点信号と呼ぶことにする。アンドゲート３４からは重なりパルス１が出力される。この重なりパルスは、入力同期周波数Ｆｉｎ＜出力同期周波数Ｆｏｕｔの場合に出力される。
【００３４】
重なり検出部２において、３５はその一方の入力に書込パルスの反転信号を、他方の入力に読出パルスを受けるアンドゲート、３６はその一方の入力に書込パルスを、他方の入力に読出パルスの反転信号を受けるアンドゲートである。３７はそのＤ入力に電源Ｖｃｃの“Ｈ”レベルを、クロック入力ＣＬＫにアンドゲート３５の出力を、クリア入力ＣＬＲにアンドゲート３６の出力を受けるＤタイプフリップフロップ（以下ＦＦ２と略す）である。３８はその一方の入力にＡ点信号を、他方の入力にＦＦ２のＱ出力を受けるアンドゲートである。該アンドゲート３８からは、重なりパルス２が出力される。この重なりパルスは、入力同期周波数Ｆｉｎ＞出力同期周波数Ｆｏｕｔの場合に出力される。
【００３５】
このように構成された回路の動作をタイムチャートを参照して説明する。図６は重なり検出部１の動作を示すタイムチャート、図７は重なり検出部２の動作を示すタイムチャートである。入力同期周波数Ｆｉｎ＜出力同期周波数Ｆｏｕｔの場合では、書き込みが徐々に遅れてくるため、読出パルスの前縁と書込パルスの後縁とが重なり、入力同期周波数Ｆｉｎ＞出力同期周波数Ｆｏｕｔの場合では、読み出しが徐々に遅れてくるため、書込パルスの前縁と読出パルスの後縁とが重なる。つまり、入力同期周波数と出力同期周波数の大小関係により重なり方向が決まる。
【００３６】
何れも、（ａ）が出力フレーム、（ｂ）が読出パルス、（ｃ）が書込パルス、（ｄ）がＦＦ１のクロック信号、（ｅ）がＦＦ１のクリア信号、（ｆ）がＦＦ１のＱ出力、（ｇ）がＡ点信号である。
【００３７】
図６に示す重なり検出部１の場合、前述したように入力同期周波数Ｆｉｎ＜出力同期周波数Ｆｏｕｔの場合では、書き込みが徐々に遅れてくるため、読出パルスの前縁と書込パルスの後縁とがＱ１０点に示すように重なる。重なる前は、図に示すように読出パルスと書込パルスとが双方共に“Ｈ”レベルになる区間はないため、Ａ点信号は発生しない。
【００３８】
一方、Ｑ１０に示すように重なりが発生すると、アンドゲート３２の出力（Ａ点信号）は、図の（ｇ）に示すように“Ｈ”レベルになる。このＡ点信号が“Ｈ”レベルの間は、ＦＦ１のＱ出力は“Ｈ”レベルであるので、Ａ点信号はアンドゲート３４を通過し、重なりパルス１として出力される。
【００３９】
図７に示す重なり検出部２の場合、入力同期周波数Ｆｉｎ＞出力同期周波数Ｆｏｕｔの場合では、読み出しが徐々に遅れてくるため、書込パルスの前縁と読出パルスの後縁とが重なる。重なる前は、図に示すように読出パルスと書込パルスとが双方共に“Ｈ”レベルになる区間はないため、Ａ点信号は発生しない。
【００４０】
一方、Ｑ１１に示すように、重なりが発生すると、アンドゲート３２の出力（Ａ点信号）は、図の（ｇ）に示すように“Ｈ”レベルになる。このＡ点信号が“Ｈ”レベルの間は、ＦＦ１のＱ出力は“Ｈ”レベルであるので、Ａ点信号はアンドゲート３４を通過し、重なりパルス２として出力される。
【００４１】
図１のフレームメモリ制御信号発生回路１５は、上述したような重なりパルス１，重なりパルス２の信号を受けて、フレームメモリ１の書き込み制御と読み出し制御を行ない、重なり方向によりフレーム単位で画像信号の書き込み禁止及び同一フレーム読み出しを行なう。このような制御により、フレームメモリへの画像信号の書き込みと読み出しの重なりを防止すると共に、画像が乱れることのない画像信号の非同期処理装置を提供することができる。
【００４２】
図８は本発明の一実施の形態例を示すブロック図である。図１と同一のものは、同一の符号を付して示す。図において、１はフレームメモリ、１０は水晶発振器、１１は出力同期信号発生回路、１２は垂直同期周波数差差判定回路、１３はアンドゲート１３は重なり検出回路、１５はフレームメモリ制御信号発生回路である。これら構成要素は、図１で説明したものであるから、その接続等の詳細説明は省略する。
【００４３】
１６はフレームメモリ１〜フレームメモリ３の出力を受けてこれら出力の平均値を算出するための平均値算出回路である。該平均値算出回路１６としては、ハードウェアによる演算回路の他、ソフトウェアによる演算処理を行なうようにすることができる。１７は、各フレームメモリ１〜フレームメモリ３の出力と、平均値算出回路１６の出力を受けて、フレームメモリ１〜３の出力を選択するか、平均値算出回路１６の出力を選択するかを切り換える切換回路である。該切換回路１７から映像信号が出力される。このように構成された回路の動作を図９に示すタイムチャートを参照しつつ説明すれば、以下の通りである。
【００４４】
図９は実施の形態例の各部の動作を示すタイムチャートである。（ａ）は出力フレーム、（ｂ）は入力フレーム、、（ｃ）はフレームメモリ１の動作、（ｄ）はフレームメモリ２の動作、（ｅ）はフレームメモリ３の動作を、（ｆ）は出力画像をそれぞれ示している。
【００４５】
先ず、実施の形態例の動作を説明する。重なり検出回路１４において、各出力フレームの先頭で、現在書き込みを行なっているフレームメモリに対して、読み出しが発生したかどうかを判定し、読み出しが発生した場合、書き込みを中止して読み出しを行なうと同時に、前フレームの映像信号が格納されているフレームメモリからも読み出しを行ない、平均値算出回路１６でこの２つのフレームの映像信号の平均値を算出し、平均値映像信号を出力する。そして、平均値映像信号を出力した次のフレームでは、重なり発生直前フレームの画像信号を読み出す。
【００４６】
その時の動作を図９に示す。重なり（Ｑ２０）が発生している出力フレームＯ２では、前フレームの映像信号が格納されているフレームメモリ３の映像Ｒ０と、現フレームの映像信号が格納されているフレームメモリ１からの映像信号Ｒ１を読み出し、この２フレームの映像信号を平均値算出回路１６に入力し、平均値映像信号を生成する。平均値は、（Ｒ０＋Ｒ１）／２で求める。
【００４７】
重なりが発生したフレームでは、切換回路１７は平均値算出回路１６側を選択するので、平均値映像信号が切換回路１７を経て映像信号として出力される。そして、重なりが発生した次のフレームＯ３では、重なり発生直前フレームの映像信号Ｒ１を読み出す。
【００４８】
この実施の形態例によれば、重なり検出回路１４により重なりを検出した場合、重なり発生前の２フレームの平均値を算出し、次フレームでは重なり発生直前の画像信号を読み出すことにより、重なり発生時に生じる画像の不連続を防止して画像の乱れを防止することができる。
【００４９】
上述の実施の形態例では、画像信号として映像信号を用いた場合を例にとったが、本発明はこれに限るものではなく、画像信号であればどのような種類の信号であっても同様に適用することができる。
【００５０】
また、上述の実施の形態例では、フレームメモリが３個の場合について示したが、本発明はこれに限るものではなく、４個以上の場合についても適用することができる。
【００５１】
【発明の効果】
以上説明したように、本発明によれば、以下の効果が得られる。
（１）請求項１記載の発明によれば、垂直同期周波数差検出回路で検出した差分が出力垂直同期周波数の許容範囲内の場合、出力同期信号発生回路にリセットをかけて同期化することにより、フレームメモリへの画像信号の書き込みと読み出しの重なりを防止することができる。
（２）請求項２記載の発明によれば、重なり検出回路により画像信号の書き込みと読み出しの重なりを検出した場合、重なり方向によりフレーム単位で画像信号の書き込み禁止及び同一フレーム読み出しを行なうことで、入力垂直同期周波数を等価的に出力垂直同期周波数に調整でき、画像の乱れを防止することができる。
（３）請求項３記載の発明によれば、重なり検出回路により重なりを検出した場合、重なり発生前の２フレームの平均値を算出し、次フレームでは重なり発生直前の画像信号を読み出すことにより、重なり発生時に生じる画像の不連続を防止して画像の乱れを防止することができる。
【００５２】
このように、本発明によれば、フレームメモリへの画像信号の書き込みと読み出しの重なりを防止すると共に、画像が乱れることのない画像信号の非同期処理装置を提供することができる。
【図面の簡単な説明】
【図１】本発明の原理ブロック図である。
【図２】垂直同期周波数差検出回路の一実施の形態例を示すブロック図である。
【図３】映像同期入力と映像同期出力の関係を示すタイムチャートである。
【図４】図１に示す回路の各部の動作を示すタイムチャートである。
【図５】重なり検出回路の具体的構成例を示す図である。
【図６】重なり検出部１の動作を示すタイムチャートである。
【図７】重なり検出部２の動作を示すタイムチャートである。
【図８】本発明の一実施の形態例を示すブロック図である。
【図９】実施の形態例の各部の動作を示すタイムチャートである。
【図１０】従来装置の構成例を示すブロック図である。
【図１１】フレームメモリへの書き込みと読み出しのタイムチャートである。
【図１２】書き込みパルスと読み出しパルスの重なりの説明図である。
【符号の説明】
１　フレームメモリ
１０　水晶発振器
１１　出力同期信号発生回路
１２　垂直同期周波数差検出回路
１３　アンドゲート
１４　重なり検出回路
１５　フレームメモリ制御信号発生回路
【図１】
2004069882.tif 000003
【図２】
2004069882.tif 000004
【図３】
2004069882.tif 000005
【図４】
2004069882.tif 000006
【図５】
2004069882.tif 000007
【図６】
2004069882.tif 000008
【図７】
2004069882.tif 000009
【図８】
2004069882.tif 000010
【図９】
2004069882.tif 000011
【図１０】
2004069882.tif 000012
【図１１】
2004069882.tif 000013
【図１２】
2004069882.tif 000014